(57)【要約】  本発明は、少なくとも一つの照明ランプ（ＬＥ）を備えた照明装置（ＬＶ）であって、この少なくとも一つの照明装置（ＬＶ）には、この少なくとも一つの照明ランプ（ＬＥ）を制御するための情報を照明装置（ＬＶ）に提供する、物体（Ｏ１，Ｏ２，Ｏ３）を検知するための少なくとも一つのセンサー機器（ＳＥＶ）が配備されている照明装置に関する。このセンサー機器（ＳＥＶ）は、検知した物体（Ｏ１，Ｏ２，Ｏ３）の物体タイプ（Ｏｉｄ１，Ｏｉｄ２，... ，ＯｉｄＮ）を識別するように構成されているか、このセンサー機器（ＳＥＶ）は、検知した物体（Ｏ１，Ｏ２，Ｏ３）との間隔を検出するように構成されているか、或いはその両方の形態で構成されており、この照明装置（ＬＶ）は、少なくとも一つのメモリ（ＳＰＥ）を有し、このメモリ（ＳＰＥ）が、少なくとも一つの光プロファイル（ＬＰ１，ＬＰ２，... ，ＬＰＮ）を保存するように構成されており、この少なくとも一つの光プロファイル（ＬＰ１，ＬＰ２，... ，ＬＰＮ）が、物体タイプ（Ｏｉｄ１，Ｏｉｄ２，... ，ＯｉｄＮ）及び物体（Ｏ１，Ｏ２，Ｏ３）と照明装置（ＬＶ）の少なくとも一つの照明ランプ（ＬＥ）の間隔の一方又は両方に応じた光強度値（Ｗ１１，... ，Ｗ１Ｍ；Ｗ２１，... ，Ｗ２Ｍ；ＷＮ１，... ，ＷＮＭ）を有し、この照明装置（ＬＶ）は、少なくとも一つの制御機器（ＳＴＶ）を有し、この制御機器が、少なくとも一つのセンサー機器（ＳＥＶ）から出力される、物体タイプ（Ｏｉｄ１，Ｏｉｄ２，... ，ＯｉｄＮ）及び検知された物体との間隔の一方又は両方に関する情報に応じて、それに対応する光強度値（Ｗ１１，... ，Ｗ１Ｍ；Ｗ２１，... ，Ｗ２Ｍ；ＷＮ１，... ，ＷＮＭ）で少なくとも一つの照明ランプ（ＬＥ）を駆動する。更に、本発明は、そのような照明装置から成る照明システムに関し、それらの照明装置は、有利には、互いに通信するように構成されている。
2013511112.tif 000002
【特許請求の範囲】
【請求項１】
少なくとも一つの照明ランプ（ＬＥ）を備えた照明装置（ＬＶ）であって、この少なくとも一つの照明装置（ＬＶ）には、この少なくとも一つの照明ランプ（ＬＥ）を制御するための情報を照明装置（ＬＶ）に提供する、物体（Ｏ１，Ｏ２，Ｏ３）を検知するための少なくとも一つのセンサー機器（ＳＥＶ）が配備されている照明装置において、
この少なくとも一つのセンサー機器（ＳＥＶ）が、検知した物体（Ｏ１，Ｏ２，Ｏ３）の物体タイプ（Ｏｉｄ１，Ｏｉｄ２，... ，ＯｉｄＮ）を識別するように構成されているか、この少なくとも一つのセンサー機器（ＳＥＶ）が、検知した物体（Ｏ１，Ｏ２，Ｏ３）との間隔を検出するように構成されているか、或いはその両方の形態で構成されており、
この照明装置（ＬＶ）は、少なくとも一つのメモリ（ＳＰＥ）を有し、このメモリ（ＳＰＥ）が、少なくとも一つの光プロファイル（ＬＰ１，ＬＰ２，... ，ＬＰＮ）を保存するように構成されており、この少なくとも一つの光プロファイル（ＬＰ１，ＬＰ２，... ，ＬＰＮ）が、物体タイプ（Ｏｉｄ１，Ｏｉｄ２，... ，ＯｉｄＮ）及び物体（Ｏ１，Ｏ２，Ｏ３）と照明装置（ＬＶ）の少なくとも一つの照明ランプ（ＬＥ）の間隔の一方又は両方に応じた光強度値（Ｗ１１，... ，Ｗ１Ｍ；Ｗ２１，... ，Ｗ２Ｍ；ＷＮ１，... ，ＷＮＭ）を有し、
この照明装置（ＬＶ）は、少なくとも一つの制御機器（ＳＴＶ）を有し、この制御機器が、少なくとも一つのセンサー機器（ＳＥＶ）から出力される、物体タイプ（Ｏｉｄ１，Ｏｉｄ２，... ，ＯｉｄＮ）及び検知された物体との間隔の一方又は両方に関する情報に応じて、それに対応する光強度値（Ｗ１１，... ，Ｗ１Ｍ；Ｗ２１，... ，Ｗ２Ｍ；ＷＮ１，... ，ＷＮＭ）で少なくとも一つの照明ランプ（ＬＥ）を駆動する、
ことを特徴とする照明装置。
【請求項２】
当該の少なくとも一つのセンサー機器（ＳＥＶ）が、検知した物体（Ｏ１，Ｏ２，Ｏ３）の物体タイプ（Ｏｉｄ１，Ｏｉｄ２，... ，ＯｉｄＮ）を識別するとともに、検知した物体（Ｏ１，Ｏ２，Ｏ３）とセンサー機器（ＳＥＶ）の間隔を検出するように構成されていることと、
当該の少なくとも一つのメモリ（ＳＰＥ）内には、物体タイプ（Ｏｉｄ１，Ｏｉｄ２，... ，ＯｉｄＮ）毎に、当該の物体（Ｏ１，Ｏ２，Ｏ３）と照明装置（ＬＶ）の少なくとも一つの照明ランプ（ＬＥ）の間隔に応じた光強度値（Ｗ１１，... ，Ｗ１Ｍ；Ｗ２１，... ，Ｗ２Ｍ；ＷＮ１，... ，ＷＮＭ）を有する、それ自身の光プロファイル（ＬＰ１，ＬＰ２，... ，ＬＰＮ）が保存されていることと、
を特徴とする請求項１に記載の照明装置。
【請求項３】
当該のセンサー機器（ＳＥＶ）が、検知した物体（Ｏ１，Ｏ２，Ｏ３）の位置を検出するように構成されるとともに、当該の少なくとも一つの制御機器（ＳＴＶ）が、この少なくとも一つのセンサー機器（ＳＥＶ）から出力される、検知された物体の位置に関する情報に応じて、それに対応する光強度値（Ｗ１１，... ，Ｗ１Ｍ；Ｗ２１，... ，Ｗ２Ｍ；ＷＮ１，... ，ＷＮＭ）で少なくとも一つの照明ランプ（ＬＥ）を駆動することを特徴とする請求項１又は２に記載の照明装置。
【請求項４】
この照明装置には、同じ形態の別の照明装置と通信するための少なくとも一つの通信機器（ＫＯＭ）が配備されていることを特徴とする請求項１から３までのいずれか一つに記載の照明装置。
【請求項５】
当該の少なくとも一つのメモリ（ＳＰＥ）、少なくとも一つのセンサー機器（ＳＥＶ）、少なくとも一つの通信機器（ＫＯＭ）及び少なくとも一つの制御機器（ＳＴＶ）の一つ以上が照明装置（ＬＶ）に統合されていることを特徴とする請求項１から４までのいずれか一つに記載の照明装置。
【請求項６】
当該の少なくとも一つの照明ランプ（ＬＥ）が調光可能であることを特徴とする請求項１から５までのいずれか一つに記載の照明装置。
【請求項７】
当該の少なくとも一つのセンサー機器（ＳＥＶ）が、更に、検知した物体（Ｏ１，Ｏ２，Ｏ３）の速度及びその物体（Ｏ１，Ｏ２，Ｏ３）の移動方向の一方又は両方を検出するように構成されていることを特徴とする請求項１から６までのいずれか一つに記載の照明装置。
【請求項８】
当該の制御機器（ＳＴＶ）が、検出された物体（Ｏ１，Ｏ２，Ｏ３）の速度、物体（Ｏ１，Ｏ２，Ｏ３）の移動方向及び物体（Ｏ１，Ｏ２，Ｏ３）の位置の一つ以上に応じて、照明装置（ＬＶ）の少なくとも一つの照明ランプ（ＬＥ）の電源投入及び遮断速度と照明時間の一方又は両方を設定するように構成されていることを特徴とする請求項７に記載の照明装置。
【請求項９】
請求項１から８までのいずれか一つに記載の照明装置（Ｌ１，Ｌ２，Ｌ３，... ，ＬＮ；Ｌ１１，... ，Ｌ１Ｎ；Ｌ２１，... ，Ｌ２Ｎ；ＬＭ１，... ，ＬＭＮ）を一定数備えた照明システム（ＳＹＳ）において、
各照明装置（Ｌ１，Ｌ２，Ｌ３，... ，ＬＮ；Ｌ１１，... ，Ｌ１Ｎ；Ｌ２１，... ，Ｌ２Ｎ；ＬＭ１，... ，ＬＭＮ）が、検出された物体タイプ（Ｏｉｄ１，Ｏｉｄ２，... ，ＯｉｄＮ）と、照明装置の少なくとも一つの照明ランプに対する物体（Ｏ１，Ｏ２，Ｏ３）の間隔と、特に、その位置と、特に、その移動方向との一つ以上に応じて、それに対応する光強度で駆動されることを特徴とする照明システム。
【請求項１０】
隣接する照明装置（Ｌ１，Ｌ２，Ｌ３，... ，ＬＮ；Ｌ１１，... ，Ｌ１Ｎ；Ｌ２１，... ，Ｌ２Ｎ；ＬＭ１，... ，ＬＭＮ）が、情報を交換するための通信手段（ＫＯＭ）を用いて、互いに通信し、この照明装置から伝送される情報が、その少なくとも一つのセンサー機器（ＳＥＶ）のセンサー情報を少なくとも有し、そのような隣接する一つ又は複数の照明装置（Ｌ１，Ｌ２，Ｌ３，... ，ＬＮ；Ｌ１１，... ，Ｌ１Ｎ；Ｌ２１，... ，Ｌ２Ｎ；ＬＭ１，... ，ＬＭＮ）から伝送される情報を受信した照明装置が、その情報を考慮して、少なくとも一つの照明ランプの光強度を選定することを特徴とする請求項９に記載の照明システム。
【請求項１１】
この照明システム（ＳＹＳ）の全ての照明装置（Ｌ１，Ｌ２，Ｌ３，... ，ＬＮ；Ｌ１１，... ，Ｌ１Ｎ；Ｌ２１，... ，Ｌ２Ｎ；ＬＭ１，... ，ＬＭＮ）に、同じ光プロファイルが保存されていることを特徴とする請求項９又は１０に記載の照明システム。
【請求項１２】
当該の照明装置から情報を伝送する照明装置の選定が、物体に応じて、即ち、物体タイプに応じて行なわれることを特徴とする請求項１０又は１１に記載の照明システム。
【請求項１３】
当該の照明装置から情報を伝送する照明装置の選定が、照明システム内の物体の位置及びその移動方向の一方又は両方に応じて行なわれることを特徴とする請求項１０から１２までのいずれか一つに記載の照明システム。
【請求項１４】
当該の照明装置が、それと隣接する照明装置とだけ通信することを特徴とする請求項１０から１３までのいずれか一つに記載の照明システム。
【請求項１５】
各照明装置が、それ自身が検出した情報及び別の一つ又は複数の照明装置から受信した情報の一方又は両方を如何なる照明装置に伝送するのかを自律的に決定することを特徴とする請求項１３又は１４に記載の照明システム。
【請求項１６】
請求項１から８までのいずれか一つに記載の照明装置（Ｌ１，Ｌ２，Ｌ３，... ，ＬＮ；Ｌ１１，... ，Ｌ１Ｎ；Ｌ２１，... ，Ｌ２Ｎ；ＬＭ１，... ，ＬＭＮ）を一定数備えた請求項９から１５までのいずれか一つに記載の照明システム（ＳＹＳ）を用いて、照明すべき場所を照明する方法において、
各照明装置（Ｌ１，Ｌ２，Ｌ３，... ，ＬＮ；Ｌ１１，... ，Ｌ１Ｎ；Ｌ２１，... ，Ｌ２Ｎ；ＬＭ１，... ，ＬＭＮ）が、検出された物体タイプ（Ｏｉｄ１，Ｏｉｄ２，... ，ＯｉｄＮ）と、照明装置の少なくとも一つの照明ランプに対する物体（Ｏ１，Ｏ２，Ｏ３）の間隔と、特に、その位置及び移動方向との一つ以上に応じて、それに対応する光強度で駆動されることを特徴とする方法。
【請求項１７】
隣接する照明装置（Ｌ１，Ｌ２，Ｌ３，... ，ＬＮ；Ｌ１１，... ，Ｌ１Ｎ；Ｌ２１，... ，Ｌ２Ｎ；ＬＭ１，... ，ＬＭＮ）が、情報を交換するための通信手段（ＫＯＭ）を用いて、互いに通信し、この照明装置から伝送される情報が、その少なくとも一つのセンサー機器（ＳＥＶ）のセンサー情報を少なくとも有し、そのような隣接する一つ又は複数の照明装置（Ｌ１，Ｌ２，Ｌ３，... ，ＬＮ；Ｌ１１，... ，Ｌ１Ｎ；Ｌ２１，... ，Ｌ２Ｎ；ＬＭ１，... ，ＬＭＮ）から伝送される情報を受信した照明装置が、その情報を考慮して、少なくとも一つの照明ランプの光強度を選定することを特徴とする請求項１６に記載の方法。
【請求項１８】
当該の照明システム（ＳＹＳ）の全ての照明装置（Ｌ１，Ｌ２，Ｌ３，... ，ＬＮ；Ｌ１１，... ，Ｌ１Ｎ；Ｌ２１，... ，Ｌ２Ｎ；ＬＭ１，... ，ＬＭＮ）に、同じ光プロファイルが保存されていることを特徴とする請求項１６又は１７に記載の方法。
【請求項１９】
当該の照明装置が、それぞれ物体に応じて、即ち、物体タイプに応じて、情報を伝送する照明装置を選定することを特徴とする請求項１７又は１８に記載の方法。
【請求項２０】
当該の照明装置が、照明システム内の物体の位置に応じて、情報を伝送する照明装置を選定することを特徴とする請求項１７から１９までのいずれか一つに記載の方法。
【請求項２１】
当該の照明装置が、それと隣接する照明装置とだけ通信することを特徴とする請求項１７から２０までのいずれか一つに記載の方法。
【請求項２２】
各照明装置が、それ自身が検出した情報及び別の一つ又は複数の照明装置から受信した情報の一方又は両方を如何なる照明装置に伝送するのかを自律的に決定することを特徴とする請求項２０又は２１に記載の方法。
【発明の詳細な説明】
【技術分野】
【０００１】
本発明は、少なくとも一つの照明ランプを備えた照明装置であって、この少なくとも一つの照明装置には、この少なくとも一つの照明ランプを制御するための情報を照明装置に提供する、物体を検出するための少なくとも一つのセンサー機器が配備されている照明装置に関する。
【０００２】
更に、本発明は、そのような照明装置を一定数備えた照明システムに関する。
【０００３】
最後に、本発明は、上記の照明システムを用いて、照明すべき場所及び物体を照明する方法にも関する。
【背景技術】
【０００４】
現在、照明ランプは、外部制御部によって直接電源を投入されている。そのような直接制御するためのソースは、例えば、動き検知器、音響センサー、タイムスイッチ又はリモート制御信号とすることができる。そのように制御された照明ランプが照射する光強度は、照明ランプの周辺で停止している、或いは動く物体のタイプ（例えば、車両、歩行者）に依存しない。動き検出器又は音響センサーが検出したのが、例えば、歩行者、乗用車又はトラックであるのかに関係無く、照明ランプは、物体の位置、速度又は移動方向と無関係に安易に電源を投入されている。
【０００５】
そのため、従来から周知の照明ランプは、一つの制御信号しか実行できなかった。その制御信号が光強度の情報も有する場合、それに応じて、照明ランプの光強度も設定されていた。
【０００６】
照明ランプの電源を遮断することは、一つ又は複数の物体が照明ランプの近くに有るか否かに関係無く、特に、物体の位置、速度又は移動方向に無関係に、直接的に、或いは時間間隔回路によって行なわれている。
【０００７】
更に、そのような周知の照明ランプでは、物体の検知後、大抵は照明強度を最大にして、照明ランプの電源を投入するとの趣旨による制御が安易に行なわれている。
【発明の概要】
【発明が解決しようとする課題】
【０００８】
本発明の課題は、照明すべき場所及び物体の照明を大幅に改善して、エネルギーを節約するとともに、場合によっては、主観的に、より快適に感じ取られる照明を提供できるようにすることである。
【課題を解決するための手段】
【０００９】
この課題は、冒頭に述べた照明装置において、本発明に基づき、この少なくとも一つのセンサー機器が、検知した物体の物体タイプを識別するように構成されるか、この少なくとも一つのセンサー機器が、検知した物体との間隔を検出するように構成されるか、その両方の形態で構成され、この照明装置が、少なくとも一つのメモリを有し、このメモリが、少なくとも一つの光プロファイルを保存するように構成され、この少なくとも一つの光プロファイルが、物体タイプ及び物体と照明装置の少なくとも一つの照明ランプの間隔の一方又は両方に応じた光強度値を有し、この照明装置が、少なくとも一つの制御機器を有し、この制御機器が、この少なくとも一つのセンサー機器から出力される、物体タイプ及び検知された物体との間隔の一方又は両方に関する情報に応じて、それに対応する光強度値で少なくとも一つの照明ランプを駆動することによって解決される。
【００１０】
本発明による照明装置では、検知された物体のタイプ（物体タイプ）及び物体と照明装置又は照明ランプの間隔の一方又は両方に応じて、照明装置の一つ又は複数の照明ランプの光の強さ／光強度を自律的に設定することが可能である。
【００１１】
基本的に、このセンサー機器は、物体とセンサー機器自身の間隔を測定し、この照明装置が、その情報を物体と照明装置の一つ又は複数の照明ランプの間隔に容易に換算することができ、そのことは、特に、照明装置が外部照明ランプを備えている場合に重要である（本明細書の更に後の部分を参照）。有利には、このセンサー機器は、移動方向と速度の一方又は両方も測定する。
【００１２】
ここにおいて、これらの物体は、正確に分類できない物体であり、しかし、乗用車、トラック、オートバイなどの様々な物体であるか、さもなければ人などの物体であるとすることができるとも規定され、ここでは、全て「物体」と称する。同様に、正確に分類できない物体とすることもできる。「物体タイプ」による分類は、上記の乗用車、トラック、オートバイ、人（歩行者）等の区分で行なうか、物体タイプによる分類は、物体の大きさ、速度などに応じて行なうか、或いはそれらを混合した分類を行なうことができる（同様に、例えば、高速乗用車、低速乗用車などのそれ自身の物体タイプをそれぞれ表すこともできる）。
【００１３】
この「詳しく分類できない物体」とは、照明装置が（例えば、外部条件などのために）物体タイプを識別できないか、或いは物体タイプを決定できない物体である。そのような詳しく分類できない物体又は物体タイプに関しては、その物体に使用される標準的な光プロファイルを規定する。
【００１４】
基本的に、本発明は、物体タイプだけ、或いは間隔だけが検出された場合でも動作する。しかし、この少なくとも一つのセンサー機器は、検知した物体の物体タイプの識別及び検知した物体とセンサー機器の間隔の検出を行なうように構成されていること、並びにこの少なくとも一つのメモリ内に、当該の物体と照明装置の少なくとも一つの照明ランプの間隔に応じた光強度値を有する、それ自身の光プロファイルが物体タイプ毎に保存されていることが特に有利である。
【００１５】
この場合、照明装置の各照明ランプの光強度は、物体タイプ及び物体と照明装置の一つ又は複数の照明ランプの間隔に応じて設定することができる。
【００１６】
例えば、物体タイプの「乗用車」は、照明ランプの光強度が物体タイプの「歩行者」よりも強い、或いは弱いものと規定する。しかし、ここでは、各物体が各照明ランプから如何なる間隔で離れているかとの意味で、間隔に応じて、照明装置の一つ又は複数の照明ランプの光強度を設定することもでき、そのため、間隔に対して、並びに物体タイプ毎に、光プロファイルを個別に設定することができる。例えば、絶対的な光強度が異なることは別として、所定の間隔内の照明ランプは、歩行者に対して、乗用車よりも強く、或いは弱く照明するものと規定することができる。
【００１７】
センサー機器が、検知した物体の位置を検出するように構成されており、この少なくとも一つの制御機器が、この少なくとも一つのセンサー機器から出力される、検知された物体の位置に関する情報に応じて、それに対応する光強度値で、この少なくとも一つの照明ランプを駆動する、即ち、物体とセンサー機器（従って、照明装置の照明ランプ）の間隔の外に、物体が存在する方向も検出し、それに応じて、センサー機器が、物体が如何なる場所に有るのか、或いは「白い」のかを検出できることが著しく特に有利である。
【００１８】
例えば、人が建物の通路内に居る場合、その人がその通路内に居る限り、通路全体の前方と後方を照明されることを主観的に快適と感じ取ることができる一方、例えば、車両の場合、車両前方の道が良好に照明されることが重要であり、車両後方の領域の照明は、通路内の人の場合よりも重要ではない。それに対応して、歩道上の歩行者では、歩行者が、より良好に前方又は後方を見れる必要は有るが、歩行者自身を強く照明する必要はないことが重要である。
【００１９】
更に、照明装置に、同じ形態の別の照明装置と通信するための少なくとも一つの通信機器を配備することが特に有利である。この場合、そのような通信は、ワイヤード又はワイヤレス（無線、ブルートゥース、ＷｉＦｉ、携帯無線、赤外線等）で行なうことができ、或いはワイヤードとワイヤレスの混合通信も可能である。
【００２０】
そのような照明装置の相互通信によって、照明装置は、第一に、検知された物体に関する情報、さもなければ、例えば、その実際の照明強度を互いに交換することができ、照明装置は、これらの情報を用いて、所定の光プロファイルの中から光強度を選定することができる。
【００２１】
これらの少なくとも一つのメモリ、少なくとも一つのセンサー機器、少なくとも一つの通信機器及び少なくとも一つの制御機器の一つ以上を照明装置に統合した場合、当然のことながら、有利には、上記の全ての構成要素を一つの装置に統合した場合、本発明による照明装置を特にコンパクトに実現することができる。
【００２２】
そのような本発明による照明装置ＬＶの非常にコンパクトな実施形態では、照明ランプ（一つ又は複数の照明ランプ）と、本発明の範囲内で必要な一つ、複数又は全ての構成要素（センサー機器、メモリ、通信機器）とが照明装置に統合される。
【００２３】
しかし、同様に、本発明には、例えば、メモリ、センサー機器及び通信機器の一つ以上が一つ又は複数の照明ランプから物理的に分離されている形態が含まれ、その意味するところは、これらの構成要素は、確かに一つの独自の筐体内に格納されているが、照明ランプが、その筐体内に配置されているのではなく、一つ又は複数の照明ランプが、これらの構成要素から間隔を空けた異なる場所に配置されているということである。
【００２４】
しかし、同様に、全ての構成要素と一つ又は複数の照明ランプとが一つの筐体内に配置されるが、そのような「ユニット」によって、それ自体はセンサー機器を備えていない別の外部照明ランプの中の一つ又は複数を駆動することが有利である。
【００２５】
従って、この一般的な実施構成では、「照明装置」との用語は、グループを構成する全ての構成要素（センサー機器、別の照明装置と通信するための通信機器、センサー機器、制御機器、照明ランプ）を表すが、それらを一つの共通の装置内に統合する必要はなく、極端な場合、全てを別個に配置することもできる。
【００２６】
外部照明ランプが制御機器によって駆動される場合、それらの照明ランプは、その制御機器と通信できるように構成しなければならない。それは、ワイヤードとワイヤレスの一方又は両方で行なうことができ、基本的に、そのために照明装置と互いに通信するための通信機器を使用するか、或いは制御機器が外部照明ランプと通信するための独自の通信機器を配備することができる。
【００２７】
この照明装置は、内部式、純粋に外部式、或いは内部と外部の混合式の一つ又は複数の照明ランプを備えることができる。
【００２８】
外部照明ランプは、通常センサー機器から一定の間隔を空けて存在し、そのため、物体に対してセンサー機器と同じ位置に置かれていない外部照明ランプには、例えば、外挿を用いて、又もや光プロファイルの中の相応の値を割り当てて、伝えることができる。しかし、そのような形式の「中央制御部」は、通常センサー機器の周りの所定の範囲（例えば、約１５メートルの間隔）内の限定された数の照明ランプに対してのみ採用され、特に、例えば、トンネル又は建物の広間内において、照明ランプが非常に短い相互間隔で配備されている場合に有利である。
【００２９】
基本的に、本発明では、照明装置の照明ランプの電源が投入及び遮断可能であれば、それで十分である。しかし、少なくとも一つの照明ランプが異なる電力ステップに切替可能又は調光可能であるか、或いは照明ランプが異なる離散的な照度に設定可能であることが特に有利である。
【００３０】
更に、出来る限り均一な照明パターンを実現するために、少なくとも一つのセンサー機器が、更に、検知した物体の速度及び物体の移動方向の一方又は両方を検出するように構成されていることと、制御機器が、検知された物体の速度、物体の移動方向及び物体の位置の一つ以上に応じて、照明装置の少なくとも一つの照明ランプの電源投入及び遮断速度及び照明時間の一方又は両方を設定するように構成されていることとは、本発明の目的に適うことである。
【００３１】
制御機器は、物体の瞬間的な速度、物体と照明ランプの距離、場合によっては、照明ランプに対する物体の位置に基づき、照明時間と電源投入及び遮断時間を計算する。
【００３２】
特に、冒頭に述べた課題は、本発明に基づき、各照明装置が、検出された物体タイプ及び間隔の一方又は両方、特に、照明装置の少なくとも一つの照明ランプに対する物体の位置に応じて、それに対応する光強度で駆動される前述した照明システムによって解決される。
【００３３】
既に上述した通り、本発明による照明システムでは、隣接する照明装置が、情報を交換するための通信手段を用いて、互いに通信し、照明装置から伝送される情報が、少なくとも一つのセンサー機器のセンサー情報を少なくとも有し、そのような隣接する一つ又は複数の照明装置から伝送される情報を受信した照明装置が、その情報を考慮して、少なくとも一つの照明ランプの光強度を選定することが特に有利である。
【００３４】
照明システムの全ての照明装置に同じ光プロファイルが保存されている場合に、照明システムの特に簡単な構成が得られる。更に、そのようにして、各照明装置は、光強度を自律的に設定するための全ての関連情報を入手する。
【００３５】
それによって、他の照明装置／照明ランプにリアルタイムに伝送する情報内容を削減するとともに、通信路の技術的要件も緩和することができる。それに応じて、システム内で既に識別されている動く物体に関して、照明装置が、最も近い照明装置に物体の方向と速度を伝えて、「表の中の一番近い値」（又は表の中から如何なる値を取り出すべきか）のメッセージを伝えることで十分である。
【００３６】
一つの照明装置が、（基本的に一つの領域ではなく）異なる範囲を照明する複数の照明ランプを備えている場合、その照明装置は、当然のことながら、照明ランプの間隔に応じて、それ自身のセンサー機器及び別の照明装置の一方又は両方から入手した情報を変換する。
【００３７】
更に、全ての照明装置で同じプロファイルを使用するという事実は、例えば、照明装置を交換する場合に、その照明装置が別の隣接する照明装置から光プロファイルを入手できるとの利点を提供する。それに応じて、一つ又は複数の光プロファイルが変更された場合でも、それを基本的にシステム内の一つの照明装置だけに反映すればよく、それは、システム内の別の装置に分配されるか、或いは別の装置によって呼び出すことができる。
【００３８】
従って、本発明によるシステムは、非常に強靱である。一つの照明装置が故障するか、プロファイルデータを喪失した場合、それにも関わらず、それ以外の照明装置は、それ自身の表から正しい値を得られる。
【００３９】
更に、照明装置から情報を伝送する照明装置の選定を物体に応じて、即ち、物体タイプに応じて行なうことも本発明の目的に適うことである。
【００４０】
上記の理由から、それに代わって、或いはそれに追加して、照明装置から情報を伝送する照明装置の選定を照明システム内の物体の位置に応じて行なうことも有利である。
【００４１】
例えば、４の値（例えば、ＦＬＡＳ＝４；「ＦＬＡＳ」との用語に関しては、明細書の以下の記載を参照）を有する光プロファイルが物体に割り当てられている場合、その物体から４つの間隔単位（４個の照明ランプ）離れた照明装置は、その光プロファイルには別の値が存在せず、そのため最も近い照明装置とは最早関連しないので、その情報を自律的に転送されない。そのような決定は、物体に応じたものである。例えば、光プロファイルに６の値を有する（例えば、ＦＬＡＳ＝６の）物体では、物体Ｏ５から４つの間隔単位離れた照明装置には、その情報が転送される。そのようなシステムの特徴は、情報が短い間隔に渡ってしか伝搬せず、それによって、伝送されるデータとシステムが高い安定性を示すことを保証している。
【００４２】
本発明の具体的な実施形態では、照明装置は、それと隣接する照明装置とだけ通信するものと規定する。
【００４３】
「隣接する」とは、例えば、一定の周辺内に有る全ての照明ランプを表すか、或いは実際には、直ぐ近くの照明ランプだけ、例えば、照明装置が一列に配置されている場合、直前及び直後に配置された照明装置だけを表す。
【００４４】
結局は、各照明装置が、それ自身が検出した情報及び別の一つ又は複数の照明装置から入手した情報の一方又は両方を如何なる照明装置に伝送するのかを自律的に決定することも有利である。
【００４５】
「自律的に」とは、当該の照明装置が実際にそれ自身で、即ち、完全に自主的にそれぞれ決定を行なうことを意味する。そのような決定を行なうためには、確かに、通常はそれが存在することを前提として、別の照明装置の情報を使用することもできる。しかし、当該の照明装置がその情報を使用するか否か、並びに如何に使用するかは、その装置だけに委ねられる。
【００４６】
本照明システムは、難なく動作するように、情報が無限に伝搬することによって、原理的に無限に拡張することができる。更に、そのようにして、分散したシステムを実現することができる。
【００４７】
更に別の照明装置へのシステムの拡張は、各照明装置のノード又は通信ノードで実施することができ、二つの分離されたシステムは、何らの変換措置無しで互いに接続することができる。
【００４８】
従って、照明装置が隣接する照明装置だけに送信する場合、その照明装置は、情報全体を伝送するのか、受信した情報を転送するのかを決定する。
【００４９】
最後に、冒頭に述べた課題は、本発明に基づき、検出された物体タイプ及び間隔の一方又は両方、特に、照明装置の少なくとも一つの照明ランプに対する物体の位置に応じて、それに対応する光強度で各照明装置を駆動する既に言及した方法によって解決される。
【００５０】
有利には、隣接する照明装置は、情報を交換するための通信手段を用いて互いに通信し、照明装置から伝送される情報は、少なくとも一つのセンサー機器のセンサー情報を少なくとも有し、そのような隣接する一つ又は複数の照明装置から伝送される情報を受信した照明装置は、その情報を考慮して、少なくとも一つの照明ランプの光強度を選定する。
【００５１】
更に、照明システムの全ての照明装置では、同じ光プロファイルを保存するものと規定することができる。
【００５２】
更に、照明装置から情報を伝送する照明装置をそれぞれ物体に応じて、即ち、物体タイプに応じて選定すること、照明装置から情報を伝送する照明装置をそれぞれ物体の位置及び照明システム内の移動方向に応じて選定すること、或いはその両方の通り選定することが有利である。
【００５３】
更に、本発明による方法の具体的な実施形態では、照明装置は、それと隣接する照明装置とだけ通信するものと規定する。
【００５４】
更に、各照明装置は、それ自身が検出した情報及び一つ又は複数の照明装置から入手した情報の一方又は両方を伝送する照明装置を自律的に決定するものと規定する。
【００５５】
各照明装置には、決定プロセス前に別の照明装置と同期、歩調を合わせるための中央制御ユニットがそれぞれ一つ配備される。一つ又は複数の照明装置が故障した場合、各照明装置が全ての光プロファイルとそれ自身の制御ロジックを有するので、それ以外の照明装置の機能は全く、或いは僅かしか影響を受けない。
【００５６】
各照明装置は、それが検知した複数の物体、一つ又は複数の照明装置から受信した物体タイプ、移動方向、速度、大きさ、それ自身の照明形態などの複数の物体に関する情報及びそれらの特徴を予め定義した関係によって評価し、それに対応する光強度及び動作時間を選定し、その結果に応じて、それぞれ単一のメッセージを隣接する照明装置に送信することができる。
【００５７】
個々の照明装置のセンサーが、所定の照明ランプに所望の光強度を含む制御信号を伝送できるように、照明ランプの位置と同様に各センサーの位置を知っていなければならない一つの中央制御ユニットに最初に信号を送信する必要はない。そのような場合、即ち、複数の物体の場合、ネットワークとシステムにより発生する遅延のために、最早リアルタイム制御は不可能となる。この場合、一つの中央制御ユニットを備えたシステムに関する当然の限界は、データ伝送帯域幅、物体の数及び独立して制御される照明ランプの数によって与えられる。
【００５８】
従来技術と異なり、検出された情報は、照明装置のネットワークを介して無制限に伝えられるのではなく、その情報は、移動方向だけでなく、有利には、全ての方向（例えば、全ての隣接する照明装置）に伝えられる。更に、本発明では、情報の到達範囲、即ち、照明装置の情報を如何なる範囲に送信するかを設定することができる。
【００５９】
隣接する照明装置へのメッセージの伝達又はそのメッセージを伝える照明装置の最大数（到達範囲）は、光プロファイル内に規定されている。
【００６０】
上述した予め定義されたプログラミング可能な関係は、二つ以上の物体に関する協調動作時の照明システムと個々の照明装置の挙動を定義する。従って、所定の状況に最適に対応する一つの共通の光プロファイルが定義される。
例：三つの状況ａ），ｂ），ｃ）
ａ）一台の車両が、歩道を対向する方向に進む一人の歩行者に接近する。
ｂ）一台の車両が、歩道を車両と同じ方向に進む一人の歩行者に接近する。
ｃ）一台の車両が、ちょうど道路を横断している一人の歩行者に接近する。
【００６１】
二つの物体に関する個々の光プロファイルが同一であっても、上記三つの状況の各々において、全体状況と最適に適応する異なる光プロファイルが生成される。
【００６２】
上述した通り、所定の時点において、常に一連の検出された情報又は別の照明装置から受信した情報とそれ自身のセンサーの情報との関係の結果から得られた情報を含む単一のメッセージだけが送信されることによって、検出可能な物体の最大数に関する制限も無くなる。
【００６３】
そのような関係の決定によって、情報は、事実上一つの結果に集約され、それによって、物体の数だけでなく、データ伝送に必要な帯域幅も常に制御下に置かれている。
【００６４】
以下において、図面に基づき本発明を詳しく説明する。
【図面の簡単な説明】
【００６５】
【図１】本発明による照明装置の一つの変化形態の図
【図１ａ】本発明による照明装置の別の変化形態の図
【図１ｂ】本発明による照明装置の更に別の変化形態の図
【図２】光プロファイル例の模式図
【図３ａ】第一の物体に関する光プロファイル又は照度分布図
【図３ｂ】第二の物体に関する光プロファイル又は照度分布図
【図３ｃ】第三の物体に関する光プロファイル又は照度分布図
【図４】照明システムの照明ランプの一次元配列図
【図５】照明システムの照明ランプの二次元配列図
【図６】物体が移動する場合の三つの異なる時点での照明システムの光分布図
【図７】二つの物体が同じ方向に移動する場合の照明システムの光分布図
【図８】二つの物体が逆方向に移動する場合の照明システムの光分布図
【図９】本発明による照明システムの照明装置間の通信例の模式図
【図１０】本発明による照明システムの照明装置の別の通信例の図
【図１１】トンネル前とトンネル内の車両例の光分布図
【発明を実施するための形態】
【００６６】
図１は、本発明による照明装置ＬＶの第一の変化形態を図示しており、以下の記述は、更に図２も参照している。照明装置ＬＶのエネルギー供給ユニットは、符号ＶＥＲで表示されている。
【００６７】
この図面では、照明装置ＬＶは、基本的に光源ＬＱと電子安定器ＥＶＧから成る一つの照明ランプＬＥを有する。当然のことながら、照明装置ＬＶは、複数の照明ランプから構成することもできる。
【００６８】
照明装置ＬＶは、更に、物体Ｏ１，Ｏ２，Ｏ３（別の図面を参照）を検知するための一つのセンサー機器ＳＥＶを備えており、このセンサー機器ＳＥＶは、少なくとも一つの照明ランプＬＥを制御するための情報を照明装置ＬＶに提供する。
【００６９】
このセンサー機器は、一つ又は通常複数の異なるセンサーＳＥ１，ＳＥ２，ＳＥ３，... ，ＳＥＮと接続された信号処理ユニットを備えたセンサーモジュールＳＥＭを有する。この信号処理ユニットは、センサーから出力される主信号を処理し、センサー機器ＳＥＶ自身は、物体タイプＯ２を検出した、Ｏ２の位置はＸＸである、Ｏ２の速度はＹＹである、走行路は濡れている、道路上の光強度は・・・などの簡単な情報だけを提供する。
【００７０】
センサーＳＥ１〜ＳＥＮは、物体を検知して、物体を追跡するセンサー、オーディオセンサー、物体の移動方向を検知する赤外線又はレーダーセンサー等とすることができる。更に、「背景輝度」を検知するセンサーを配備することもでき、例えば、背景輝度がそれ以外の場合よりも明るい場合（例えば、月光が明るい場合など）、照明ランプは、より弱く照明しなければならない。即ち、場合によっては、例えば、隣接する照明ランプが故障して、それに応じて光強度を調整すべきか否かなども検出することができる。
【００７１】
センサー機器ＳＥＶは、検知した物体Ｏ１，Ｏ２，Ｏ３の物体タイプＯｉｄ１，Ｏｉｄ２，... ，ＯｉｄＮの識別及び検知した物体Ｏ１，Ｏ２，Ｏ３との間隔の検出の一方又は両方を行なうように構成され、有利には、センサー機器は、物体タイプ及び間隔を検出するように構成される。更に、間隔だけでなく、一般的に物体の位置、移動方向及び速度を検出することが有利である。
【００７２】
通常は、以下で更に詳しく考察する通り、如何なる数の照明ランプ分（間隔単位＝照明ランプ間の間隔がほぼ同じ場合の照明ランプの間隔）だけ、物体が所定の照明ランプから離れているのか重要であり、そのため、第一に、間隔の測定は、そのような疑問に注力して行なわれ、位置の測定は、物体が如何なる数の照明ランプ分だけ所定の照明ランプの前、後、横、上、下に有るのかとの疑問に注力して行なわれる。
【００７３】
更に、照明装置ＬＶは、この実施形態では、制御機器ＳＴＶの一部として構成されたメモリＳＰＥを備えている。
【００７４】
このメモリＳＰＥは、この例ではＮ個の光プロファイルＬＰ１，ＬＰ２，... ，ＬＰＮ（図２）を保存するように構成されており、光プロファイルＬＰ１，ＬＰ２，... ，ＬＰＮは、物体タイプＯｉｄ１，Ｏｉｄ２，... ，ＯｉｄＮと間隔、有利には、照明装置ＬＶの一つの照明ランプＬＥに対する物体Ｏ１，Ｏ２，Ｏ３の位置とに応じた光強度値Ｗ１１，... ，Ｗ１Ｍ；Ｗ２１，... ，Ｗ２Ｍ；... ；ＷＮ１，... ，ＷＮＭを有する。
【００７５】
ここで、制御機器ＳＴＶは、センサー機器ＳＥＶから出力される、検知された物体の物体タイプＯｉｄ１，Ｏｉｄ２，... ，ＯｉｄＮと間隔（位置）に関する情報を用いて、物体タイプに対応する光プロファイルの中のそれに対応する光強度値Ｗ１１，... ，Ｗ１Ｍ；Ｗ２１，... ，Ｗ２Ｍ；... ；ＷＮ１，... ，ＷＮＭで照明ランプＬＥを駆動する。
【００７６】
図示されている有利な変化形態では、照明装置ＬＶは、同じ形態の別の照明装置と通信するための通信機器ＫＯＭを備えている。この場合、通信は、ワイヤード又はワイヤレス（無線、ブルートゥース、ＷｉＦｉ、携帯無線、赤外線など）で行なわれるか、或いはワイヤードとワイヤレスの混合した通信も可能である。
【００７７】
第一に、照明装置の相互通信によって、照明装置は、検知された物体に関する情報、さもなければ、例えば、その実際の照度を互いに交換するともに、照明装置は、その情報を使用して、与えられた光プロファイルの中から光強度を選定することができる。
【００７８】
図１に図示された本発明による照明装置は、メモリＳＰＥ、センサー機器ＳＥＶ、通信機器ＫＯＭ、制御機器ＳＴＶ、照明ランプなどの照明装置と関連する全ての構成要素を一つの装置ＬＶに統合しているので、特にコンパクトに実現することができる。
【００７９】
しかし、所定の構成要素を外部に配備するか、或いは照明ランプまでの全ての構成要素を一定数の外部照明ランプＬＥ、例えば、図１ａに図示されている通り、三つの照明ランプＬＥと接続された一つの共通ユニットＥＨに統合することもできる。この例では、照明装置ＬＶは、そのようなユニットＥＨとそれと接続された三つの照明ランプＬＥとから構成されている。
【００８０】
しかし、同様に、図１ｂに図示されている通り、（図１に対応して）全ての構成要素と一つ又は複数の照明ランプを一つの筐体ＥＨ内に配置するが、そのユニットＥＨによって、それ自身はセンサー機器、通信機器及び制御機器を備えていない一つ又は複数の外部照明ランプを駆動することも有利である。この照明装置は、又もやユニットＥＨと外部照明ランプＬＥから構成される。
【００８１】
従って、一般的な実施構成では、「照明装置」との用語は、それに属する全ての構成要素（センサー機器、別の照明装置と通信するための通信機器、センサー機器、制御機器、照明ランプ）を表すが、一つの共通の装置に統合する必要はなく、極端な場合、全ての構成要素を別個に配置することも可能である。
【００８２】
外部照明ランプが制御機器によって駆動される場合、その照明ランプは、制御機器と通信するように構成しなければならない。それは、ワイヤードとワイヤレスの一方又は両方の形式で行なうことができ、基本的に、通信機器は、照明装置の相互通信のために使用されるか、或いは制御機器が外部照明ランプと通信するための独自の通信機器が配備される。
【００８３】
この照明装置は、内部式の、純粋に外部式の、或いは内部式と外部式の混合した一つ又は複数の照明ランプを備えることができる。
【００８４】
通常センサー機器から一定の間隔を空けた所に有り、そのため、物体に対してセンサー機器と同じ位置に置かれていない外部照明ランプには、例えば、外挿を用いて、又もや光プロファイルの中のそれに対応する値を割り当てて、伝送することができる。しかし、そのような形態の「中央制御部」は、通常センサー機器の周りの所定の範囲（例えば、約１５メートルの間隔）内の限定された数の照明ランプにしか採用されず、照明ランプが、例えば、トンネル又は建物の広間内に非常に短い相互間隔で配備されている場合に特に有利である。
【００８５】
ここで、図２は、前に簡単に言及した通りのＮ個の異なる物体タイプＯｉｄ１，Ｏｉｄ２，... ，ＯｉｄＮに関する光プロファイルＬＰ１，ＬＰ２，... ，ＬＰＮを図示している。各光プロファイルは、物体タイプ毎に一つ有る、一連の光強度値（物体タイプＯｉｄ１に関する）Ｗ１１，Ｗ１２，... ，Ｗ１Ｍ；... ；（物体タイプＯｉｄＮに関する）ＷＮ１，... ，ＷＮＭを有する。符号「Ｍ」は、照明装置又は所定の物体タイプに関して照明を行なう、その照度分布を形成する照明ランプの数を表し、その数は、異なる物体タイプ毎に相違することができるが、図２には図示されていない。
【００８６】
これらの値Ｗ１１，... は、照明ランプから実際に照射される光強度を表すか、或いは有利には、照明ランプの周囲を照明する光強度又は照度をそれぞれ表す。後者の場合、周囲環境に応じた値を得るために、照明ランプから照射される照度を外部の状況に応じて調整することができる。
【００８７】
ここで、光プロファイル内の値Ｗ１１，... は、物体タイプ毎に、物体が移動している場合に、それと一緒に移動する照明パターン（「照度分布」）を定義する。この場合、間隔は、照明ランプの間隔で正規化されている、即ち、各テーブル値は、物体に対して（照明ランプの）所定の間隔を有する照明ランプと関連した値なので、光プロファイルは、図示されている通り、通常間隔の値を含まない。
【００８８】
図面による説明のために、図３ａと３ｂを参照する。図３ａは、６個の照明ランプを用いて照度分布が定義されている物体Ｏ１（＝Ｏｉｄ１）を図示している。これらの照明ランプの相互間隔は、例えば、２０メートルである、即ち、６個の照明ランプで１００メートルとなる。一つの物体の照度分布は、一方では物体の前に有る領域（ＦＬＡＳ：Ｆｏｗａｒｄ  Ｌｉｓｈｔ  Ａｕｒａ  Ｓｈａｐｅ）と、他方では物体の後に有る領域（ＢＬＡＳ：Ｂａｃｋｗａｒｄ  Ｌｉｓｈｔ  Ａｕｒａ  Ｓｈａｐｅ）とに拡がっている。
【００８９】
ここで、図３ａの例では、ＦＬＡＳは５個の照明ランプから構成され、ＢＬＡＳは１個の照明ランプから構成されている、即ち、５個の照明ランプが物体Ｏ１の前を照明し、１個の照明ランプが物体の後を照明するものと規定されている。それに対応して、光プロファイルは、照度値Ｗ１１〜Ｗ１６を有し、値Ｗ１２（表の第二の値）は、照明ランプの下の照度値（とＦＬＡＳの第一の値）を規定し、Ｗ１３は、物体が下に有る照明ランプに対して「一つの」照明ランプ間隔だけ離れた照明ランプの照度値を規定する云々。値Ｗ１１は、物体の後の照明ランプに関する照度値を規定している。
【００９０】
ここで、物体が一連の照明ランプに沿って移動した場合、その照度分布は、物体と一緒に移動する、即ち、物体がちょうど下に有った照明ランプ（値Ｗ１２）は、前進時に値Ｗ１１で上書きされる云々。
【００９１】
図３ｂは、５個の照明ランプの照度分布から成る物体Ｏ２の例を図示しており、ＦＬＡＳは３個の照明ランプから成り、ＢＬＡＳは２個の照明ランプから成る。
【００９２】
物体がＢＬＡＳを持たない、即ち、照明ランプが物体の後を照明しないと規定された場合、値Ｗ１１は、物体がちょうど下に有る照明ランプの照度を規定する（図３ｃ）。
【００９３】
本発明による「一次元」配列の照明システムＳＹＳが図４に図示されている。この照明システムＳＹＳは、一つの区間（直線、曲線、曲がりくねった道など）に沿って配置された照明装置（又は照明ランプ）Ｌ１，... ，ＬＮから構成される。
【００９４】
本発明による「二次元」配列の別の照明システムＳＹＳが図５に図示されており、そこでは、照明ランプ（又は照明装置）Ｌ１１，... ，ＬＭ１；Ｌ１Ｎ，... ，ＬＭＮが一つの面に渡って分散している。そのような二次元配列では、一つの物体の照度分布は、左側の照度分布（左ＬＡＳ）と右側の照度分布（右ＬＡＳ）とから構成され、それらに対応する照度値は、又もや一次元の表（光プロファイル）で構成することができる。
【００９５】
しかし、光プロファイルは、物体タイプ毎に規定された二次元の表（行列）で定義することもでき、中央の位置（ｉ，ｊ）は、所定の物体タイプに関する位置である、即ち、物体が下に有る位置（照明ランプ）に関する照度値をそれぞれ示す。異なる物体タイプは、異なる中央位置を持つことができる。そして、照度分布、即ち、一つの物体タイプの全ての方向を照明する照明ランプの光強度と数は、その行列によって定義される。そのような光プロファイルの表現は、特に、照明ランプが格子状に配置された駐車場や大きな平面に適している。
【００９６】
基本的に、本発明は原理的に照明ランプ／照明装置の任意の配置構成に適用可能であるが、照明ランプが一次元、二次元又は三次元の配置構成で互いに等間隔で配置されている場合に、特に簡単な実現形態が得られることを補足することができる。
【００９７】
図６は、それぞれｉ１〜ｉ７の光強度で照射する照明ランプＬ１〜Ｌ７の直線状の配置構成に沿って物体Ｏ３が前進することを図示している。簡略化のために、図６では、特に、図７と８では、照明ランプＬ１，... が、照明ランプを含む全ての関連する構成要素を共通の場所（例えば、一つの筐体内）に配置した照明装置であり、それらの図では、照明ランプと照明装置を同義語として解釈することを前提としている。それは、第一に、本発明による技術思想を簡単に表現することに資するとともに、本発明を制限するものではない。
【００９８】
図３ｃの照度分布に対応して、（物体Ｏ３が照明ランプ又は照明装置Ｌ１の下に有る）時点ｔ１での光強度は、次の関係ｉ１∝Ｗ１１，ｉ２∝Ｗ１２，ｉ３∝Ｗ１３，ｉ４∝Ｗ１４，ｉ５∝Ｗ１５，ｉ６＝０，ｉ７＝０に対応する。
【００９９】
物体Ｏ３が移動して、時点ｔ２で照明ランプＬ２の下に有る場合、次の関係ｉ１＝０，ｉ２∝Ｗ１１，ｉ３∝Ｗ１２，ｉ４∝Ｗ１３，ｉ５∝Ｗ１４，ｉ６∝Ｗ１５，ｉ７＝０が成り立つ。最終的に、時点ｔ３では、ｉ１＝０，ｉ２＝０，ｉ３∝Ｗ１１，ｉ４∝Ｗ１２，ｉ５∝Ｗ１３，ｉ６∝Ｗ１４，ｉ７∝Ｗ１５が成り立つ。
【０１００】
図７は、二つの物体Ｏ１，Ｏ２が照明システムに沿って左から右に移動する（９個の照明ランプ又は照明装置が図示された）別の状況を図示している。この例では、二つの物体Ｏ１，Ｏ２が図３ｃで図示されている通りの照度分布を有することを前提としている。
【０１０１】
基本的に、照明ランプＬ１〜Ｌ５は、物体Ｏ２の光プロファイル（照度分布）に応じて駆動され、照明ランプＬ４〜Ｌ８は、物体Ｏ１の（この例では同じ）光プロファイルに応じて駆動される。ここで、照明ランプは互いに通信しているので、当該の照明ランプは、物体Ｏ１，Ｏ２がその場に有ることを分かっており、物体Ｏ１がその後を進む、場合によっては接近する物体Ｏ２によって眩惑されることを防止するために、所定の制御により、物体Ｏ１の後に有るランプの照度の低下が行なわれる。図示されている例では、照明ランプＬ２〜Ｌ４は、物体Ｏ２の中央の値、即ち、ここでは、照明ランプＬ１より小さい値に設定される。照明ランプＬ５は、本当は二つの値、Ｏ２の高い方の値とＯ１の低い方の値で駆動され、この具体的なケースでは、物体Ｏ１の低い方の値が使用される。
【０１０２】
図８は、物体が対向して移動する同様の状況を図示している。この照明システムは、眩惑させない、或いは光強度の変化によって当惑させない。実際に、そのような状況では、運転者も、ハイビームからロービームに切り換えるとともに、この場合には、同様にシステム内の光分布の調整が行なわれる。
【０１０３】
更に、出来る限り均一な照明パターンを実現するために、照明装置ＬＶのセンサー機器ＳＥＶが、更に、検知した物体Ｏ１，Ｏ２，Ｏ３の速度及びその物体Ｏ１，Ｏ２，Ｏ３の移動方向の一方又は両方を検出するように構成されていることが本発明の目的に適うことである。
【０１０４】
更に、制御機器ＳＴＶは、検知された物体Ｏ１，Ｏ２，Ｏ３の速度、その物体Ｏ１，Ｏ２，Ｏ３の移動方向及び物体Ｏ１，Ｏ２，Ｏ３の位置の一つ以上に応じて、照明装置ＬＶの少なくとも一つの照明ランプＬＥの電源投入及び遮断速度と照明時間の一方又は両方を設定するように構成される。
【０１０５】
制御機器は、物体の瞬間的な速度、物体と照明ランプの間隔、場合によっては、照明ランプに対する物体の位置に基づき、照明時間と電源投入及び遮断時間を計算する。
【０１０６】
上述した通り、本発明による照明システムＳＹＳでは、隣接する照明装置が情報を交換するための通信手段ＫＯＭを用いて互いに通信することが特に有利であり、照明装置から伝送される情報は、少なくとも一つのセンサー機器ＳＥＶのセンサー情報を少なくとも有し、そのような一つ又は複数の照明装置によって伝送される情報を受信した照明装置は、その情報を考慮して、少なくとも一つの照明ランプの光強度を選定する。
【０１０７】
図９は、照明装置ＬＶ１，ＬＶ２，... ，ＬＶ７，ＬＶＮ，  ＬＶＮ＋１から成る照明システムでの通信例を図示している。この通信は、両方向に、照明装置ＬＶ１とＬＶ２の間の１対１通信及び照明装置ＬＶ１とその残りの照明装置ＬＶ３〜ＬＶＮ＋１の間の１対Ｎ通信の形で行なわれる。照明装置ＬＶ３〜ＬＶ７は、又もや直ぐ隣の装置とだけ通信するが、その通信は、照明装置の故障時に迂回して通信するように行なわれる。
【０１０８】
図９は、構成全体の一部だけを図示している。照明装置ＬＶ７の後に、ＬＶ８等が続くことができる。各照明装置は、二つの通信ポートを備えている。従って、各照明装置は、両方向に送受信することができる。図９において、物体が照明装置ＬＶ１，ＬＶ２の方向から移動した場合、照明装置ＬＶ２は、ＬＶ３，ＬＶ７，ＬＶＮに情報を伝送する。ＬＶ７が最後の照明装置である場合、更に別の照明装置が存在しないので、情報は更に伝送されない。
【０１０９】
図９において、物体が照明装置ＬＶ７の方向から移動した場合、照明装置ＬＶ７は、ＬＶ２，ＬＶ３及びＬＶＮに情報を伝送する。
【０１１０】
図９では、通信はワイヤード方式で行なわれ、図１０では、ワイヤレスとワイヤードの混合通信で行なわれる。
【０１１１】
ここにおいて、照明装置が図８と９に図示されており、それらの装置は、それぞれ内部及び／又は外部式の一つ又は複数の照明ランプを備えることができることを再度指摘したい。
【０１１２】
それに対して、前記の図面では、照明ランプが明示的に図示されており、一つ又は複数の照明ランプを照明装置の一部とすることができる。
【０１１３】
照明システムＳＹＳの全ての照明装置に同じ光プロファイルが保存されている場合に、照明システムの特に簡単な構成が得られる。各照明装置は、そのようにして、光強度を自律的に設定するための全ての関連する情報を入手する。システムの機能を損なうことなく、照明装置を互いに交換することができる、即ち、例えば、保守目的などのために、一つの装置を同様の装置と全く問題なく交換することもできる。
【０１１４】
基本的に、当該の照明装置のそれ自身のセンサーによって検出された情報は、別の照明装置から当該の照明装置に伝送されて来た情報よりも高い優先順位を有するが、有利には、全ての情報が当該の照明装置での決定のために使用される。しかし、外部からの情報が無い場合、そのユニットは、如何なる光強度を設定すべきであるかを自律的に、即ち、別の照明装置の情報と無関係に決定する。
【０１１５】
更に、照明装置から情報を伝送する照明装置の選定が物体に応じて、即ち、物体タイプに応じて行なわれるのが本発明の目的に適うことである。
【０１１６】
それに代わって、或いはそれに追加して、照明装置から情報を伝送する照明装置の選定が照明システム内の物体の位置に応じて行なわれるのが有利な場合がある。
【０１１７】
本発明の具体的な実施形態では、照明装置は、それと隣接する照明装置とだけ通信するものと規定する。
【０１１８】
「隣接する」とは、例えば、所定の範囲内に有る全ての照明ランプを表すか、或いは実際に直ぐ近くに有る照明ランプだけ、例えば、照明装置が一列に配置されている場合には、直ぐ前と直ぐ後に配置された照明装置だけを表す。
【０１１９】
最後に、各照明装置が、それ自身が検出した情報及び別の一つ又は複数の照明装置から受信した情報の一方又は両方を如何なる照明装置に伝送するのかを自律的に決定することも有利である。
【０１２０】
従って、照明装置が隣接する照明装置だけに送信する場合、その照明装置は、情報全体を伝送するのか、受信した情報を転送するのかを決定する。
【０１２１】
光プロファイル内に具体的な光強度値が規定されていることによって、計算作業が不要となり、関連する値を容易に読み出して、照明装置の一つ又は複数の照明ランプを駆動するために使用できる。
【０１２２】
本発明による照明システムは、自律的なネットワークであり、中央計算機が不要で、ネットワークを任意に拡張することができる。
【０１２３】
現在の照明方法は、「正しい」時間に「正しい」照度を提供できないので、効率的でない。本発明では、それが可能であり、エネルギー消費量を削減できるとともに、照明品質を向上できる。
【０１２４】
更に、例えば、センサー機器が背景輝度の低下を検出し、それに応じて、別の照明ランプにおいて、それを考慮することで、隣接する照明ランプによって、個々の照明ランプの故障を補償することができる。
【０１２５】
光源としては、比較的任意の光源を使用することができるが、発光ダイオード、特に、所謂「パワーＬＥＤ」が特に適している。
【０１２６】
最後に、図１１は、トンネルＴＵＮ前（位置１）、トンネル開始地点（位置２）及びトンネル内（位置３，位置４）の車両例を図示している。ここでは、車両前の一定に照明される領域を運転者に提供することを目指している。トンネル入口は、周辺輝度に応じたレベルであるが、車両の位置と無関係な一定の最大レベルで照明される（位置１）。
【０１２７】
位置２では、第一の照明装置のセンサー機器が車両を検知し、それに応じて、例えば、トンネル内のその次の１００メートルを一定に照明している。車両が、トンネルＴＵＮ内を前進して、次のセンサーによって検知されると、別の照明ランプの電源を投入する一方、車両がちょうど離れて行くセンサーを有する照明ランプは、その照度を低下させる。
【０１２８】
位置４では、最終的に、物体と共にトンネル内を移動する、物体に関する一定の照度分布と、その照度分布と関連した物体の位置とを見ることができる。
【図１】
2013511112.tif 000003
【図１ａ】
2013511112.tif 000004
【図１ｂ】
2013511112.tif 000005
【図２】
2013511112.tif 000006
【図３ａ】
2013511112.tif 000007
【図３ｂ】
2013511112.tif 000008
【図３ｃ】
2013511112.tif 000009
【図４】
2013511112.tif 000010
【図５】
2013511112.tif 000011
【図６】
2013511112.tif 000012
【図７】
2013511112.tif 000013
【図８】
2013511112.tif 000014
【図９】
2013511112.tif 000015
【図１０】
2013511112.tif 000016
【図１１】
2013511112.tif 000017
【国際調査報告】
2013511112.tif 000018
2013511112.tif 000019
2013511112.tif 000020
2013511112.tif 000021